(57)【要約】【課題】  小型の標識などに用いる小型ＥＬ薄型電飾装置であって、外部電力を用い、ＥＬパネル近傍にコ−ドを用いずに、簡潔で、取扱い簡便なＥＬ薄型装飾装置の提供。【解決手段】  レ−ル１はカ−テンレ−ルの如き形状であって、横断面が四角辺からなり、開口辺の両側辺の内側には、長手方向にＥＬ駆動用電力ライン７、８が形成されていている。嵌合部３と頸部５と台座部４からなる翼状係止具でＥＬ電飾部９がレ−ル１に係止され、嵌合部３とＥＬ駆動用受電端子とが兼用になっている。かようなＥＬ電飾部９が１個以上レ−ルの任意位置に係止されているＥＬコ−ドレスパネルを提供し得た。  ＥＬパネル２近傍の目障なコ−ドが不要になり、見た目にスマ−トなＥＬコ−ドレスパネルとなった。【選択図】              図  １
2006278307.tif 000002
【特許請求の範囲】
【請求項１】
ＥＬパネルを具備するＥＬ電飾部が、１個ないし複数個レ−ルの長手方向の任意位置に係止され、前記ＥＬパネルが点灯する方式のＥＬコ−ドレスパネルにおいて、
前記レ−ルの横断面は、英字のＣ字形の四辺からなり、辺の中央部が英字のＣ字形の右側の如く開口する開口辺、前記開口辺に対向する奥辺、前記開口辺と前記奧辺に直角で互いに対向する二つの側辺からなり、
前記二つの側辺の内側には、レ−ルの長手方向に、一対のＥＬ駆動用電力ラインが形成されていて、
前記レ−ルに係止される前記ＥＬ電飾部には、嵌合部、頸部および台座部からなる翼状係止具を備え、
前記翼状係止具の前記嵌合部の翼状形の両先端には、前記ＥＬ駆動用電力ラインに接続しているＥＬ駆動受電端子を具備していて、前記レ−ルへの前記嵌合部と、前記ＥＬ駆動用受電端子が兼用になっていて、
前記レ−ルに前記ＥＬ電飾部が係止状態においては、
前記レ−ル横断面に対し、前記ＥＬ電飾部の前記嵌合部は前記翼状形で、前記レ−ルの前記二つの側辺に夾持され、且つ、前記レ−ルの前記開口辺においては前記嵌合部と前記台座部とで夾持されることで、前記レ−ルに係止され、
且つ、前記ＥＬ駆動用電力ラインから前記ＥＬ電飾部が電力を受電して前記ＥＬパネルが点灯可能状態となり、
前記ＥＬ電飾部を前記レ−ル長手方向に平行に回転することによって得られる、前記レ−ルに非係止状態においては、
前記レ−ルの長手方向へ前記ＥＬ電飾部を移動することが可能な、あるいは前記レ−ルから前記ＥＬ電飾部を着脱することが可能な状態となることを特徴とする、
ＥＬコ−ドレス点灯制御パネル。
【請求項２】
フリ−状態の前記レ−ルにおける、前記二側辺の内側間の長さよりも、前記ＥＬ電飾部の翼状係止具の前記嵌合部の前記翼状形の両先端間長を長くすることによって、
前記ＥＬ電飾部が前記レ−ルに係止しているときに、前記レ−ルの横断面方向の弾性により、前記嵌合部の前記翼状形の両先端に具備されているＥＬ駆動受電端子を挟持している前記レ−ル横断面がフリ−状態に戻ろうとする押圧力が掛かることにより、
前記レ−ルへの前記ＥＬ電飾部の係止が確実化するとともに、レ−ルの長手方向のＥＬ駆動用電力ラインとＥＬ駆動受電端子との接触を確実化することを特徴とする、
請求項１に記載するＥＬコ−ドレスパネル。
【請求項３】
前記ＥＬ電飾部において、
前記レ−ルに具備されている前記ＥＬ駆動用電力ラインに接続されている、ＥＬ駆動受電端子が具備され、
前記ＥＬ電飾部の電気回路にＥＬインバ−タ部が具備されていて、これによってＥＬ電飾部のＥＬパネルの点灯が行われることを特徴とする、
請求項１、および２に記載するＥＬコ−ドレスパネル。
【発明の詳細な説明】
【技術分野】
【０００１】  本発明は、ＥＬ（Ｅｌｅｃｔｒｏ  Ｌｕｍｉｎｅｓｃｅｎｃｅ）素子を利用する電飾装置に関し、さらに詳しくは電界発光型ＥＬによるＥＬパネルに係わる。
【背景技術】
【０００２】  ＥＬは通常、電界発光機構に基づく現象を利用した、無機ＥＬあるいは真性ＥＬのことを指す。
無機ＥＬには、構造的に発光層として粉末状の蛍光体を用いた分散型ＥＬ素子と、緻密な薄膜で構成された薄膜型ＥＬ素子とがある。【０００３】  無機ＥＬ素子の断面構造を分散型ＥＬ素子パネルで説明すると、ＥＬ素子部は、発光面側から透明電極層、ＥＬ発光層、絶縁体層、背面電極層の順の積層構造であり、これに表裏外面を保護する保護層を積層してＥＬ素子パネルとする。
ＥＬ素子パネルの各層を薄くすることで、かなり薄い発光パネルとすることが可能で、厚さは０．６ｍｍ程度のＥＬ素子シ−トが存在する。【０００４】  ＥＬ素子において、透明電極層と背面電極層に交流電圧を印加すると、電極からの高電界によって界面準位からの電子がトンネル効果によって発光層に注入され、発光層中の発光粉末にトラップされている正孔と再結合して発光する。
透明電極層は、ＩＴＯ（Ｉｎｄｉｕｍ  Ｔｉｎ  Ｏｘｉｄｅ）などのシ−トが使われ、発光色、発光パタ−ンなどによって、発光層と絶縁層とを十数層重ねることもある。
発光材料には、Ｓｒ（ストロンチウム）、Ｇａ（ガリウム）、Ｓ（硫黄）、Ｓｅ（セリウム）などが使用される。
保護層は、ＰＥＴ（ポリエステル）などのシ−トをラミネ−ト法などで形成する。【０００５】  ＥＬ素子シ−トは、大面積の発光が可能で、携帯電話の液晶ディスプレイのバックライトなどにも使われている。
曲面発光、多色発光、多色分割発光、点滅など広範囲の発光が可能なので、マ−キング、標識、装飾用イルミネ−ションなどが、場所をとらずに比較的簡便な装置で可能となる。
なかでも、人の注意を喚起する必要のある小型のマ−キングや標識などには好適な発光素子である。【０００６】  ＥＬ素子を点灯させるためには電力の供給が必要である。
一方、架台の任意の位置にある電気機器に、コ−ドを使わずに電力を供給する方法に関しては、代表例として次のような開示がある。
【特許文献１】  特開平５−２７５１３３
【特許文献２】  特開平７−２４５８９１
なお、引用文献からの引用文、およびその説明は、前記引用文の表現をそのまま用いるものとする。【０００７】  「特許文献１」は、複数の電気機器を長手方向に列設できる取付装置の開示である。
「特許文献１」の段落番号「００１４」に、「・・この端子台２は、まず係合爪２ｄを取付装置１の一方の翼部１ｂに係合した後、突出部２ｃを他方翼部１ｃに向かって押し込むと、係止片２ｅが他方翼部１ｃを乗り越えて係止されて取付装置１に取り付けられるとともに、接続片２ｇの先端部が一方の導電ライン１ｈに接触圧を有して当接し、電磁リレ−Ｒのコイルの一方端が導電ライン１ｈに接続される」、と開示されている。
つまり、長手方向に導電ラインを具備した取付装置に、電気機器をはめ込む機構と、この機構とは別個の電気機器に具備する電車のパンタグラフ式の如き導電板で導電ラインから電気を取り込むことの開示である。【０００８】  「特許文献２」は、負荷線を２次側とするコアを、レ−ルに付随する高周波誘導コ−ドの任意の位置に移動することができる非接触タイプの配線システムに関する開示である。
「特許文献２」の段落番号「００１２」に、「コ−ド３は、コア１に貫通するようにレ−ル２に沿って交流電力が給電される。実施例のコ−ド３はレ−ル２の下面に沿って配線されているが、コア１に貫通するようにレ−ル２の下面に沿って配線された往線３ａと、コア１に貫通しないようにレ−ル１の上面に沿って配線された復線（図示せず）からなる。
また実施例のコ−ド３は図６と同様に電源側電流トランスコア（図示せず）に鎖交し、電源側電流トランスコアの１次巻線に高周波電源（図示せず）を接続している」、と開示されている。
つまり、レ−ルに付随する高周波誘導コ−ドによる、無結線の給電システムの改良に関する開示である。
【発明の開示】
【発明が解決しようとする課題】
【０００９】  ＥＬパネルは、曲面発光、多色発光、多色分割発光、点滅など広範囲の発光が可能なので、マ−キング、標識、装飾用イルミネ−ションなどが、場所をとらずに比較的簡便な装置で面状発光が可能である。
ＥＬパネルのなかでも、店舗などのショ−ウィンド−、商品棚、ショ−ケ−ス、また、見本市のブ−スにおける見本表示など、近くから見る人の注意を喚起することが目的の、小型の標識、小型のマ−キング、小ディスプレイなどに、小型ＥＬパネルを適用する場合が多々ある。【００１０】  外部電源からの配線を不要とするため、小型ＥＬパネル装置からなる電飾部に電池電源を具備させれば、外部電源からの配線は不要になるが、ある程度のサイズになる電源電池を含むＥＬインバ−タなどのＥＬ素子駆動部を、前記小型ＥＬパネル電飾装置側に、表面から見えないように具備させることには無理がある。
また、電源電池の容量の制約などからくる寿命の問題も生じる。
したがって、かような制約のない外部電力を利用する方が妥当と云わねばならない。【００１１】  小型ＥＬ電飾装置に外部電力を供給する場合にはコ−ドが必要であるが、ＥＬパネル（ディスプレイ部）の面積が大凡１００ｃｍ２程度以下を対象とした小型ＥＬパネル装置にコ−ドを使用すると、発光パネルが小型ゆえ、前記コ−ドが視野に入り目障りであり、美観を損ねる。
また、前記小型ＥＬパネル装置の位置変更などのため、ある程度長いコ−ドが必要で、前記コ−ドの仕舞いがよくないなどの欠陥がある。
さらに、コ−ドが断線したり、コ−ドの接触部が破損したりする問題点もある。【００１２】  また、「特許文献１」に開示がある如く、長手方向に導電ラインを具備した取付装置に、電気機器をはめ込む機構と、この機構とは別個の電気機器に具備する電車のパンタグラフ式の如き導電板で導電ラインから電気を取り込む方法。
また、「特許文献２」に開示がある如く、レ−ルに付随する高周波誘導コ−ドと２次コアによる、無結線の給電システム方法。
かような、大がかりで複雑な方法や機構は、人の注意を喚起することが目的の小型のマ−キングや標識などの、ＥＬパネルの面積が大凡１００ｃｍ２程度以下で、軽くて簡便な小型ＥＬシ−ト電飾装置には適用し難い。【００１３】  かようなことから、人の注意を喚起することが目的の小型のマ−キングや標識用などのために小型ＥＬパネル装置を適用するとき、前記小型ＥＬパネル装置のパネル近傍にコ−ドを用いずに、外部電力を使うことのできる簡潔な機構で、取扱いが簡単なＥＬ薄型電飾装置の提供が望まれている。【００１４】  本発明は、上記従来の課題を考慮して、人の注意を喚起することが目的の小型のマ−キングや標識などに用いる小型ＥＬ薄型電飾装置において、外部電力を用い、ＥＬパネル近傍にコ−ドを用いずに、簡潔な機構で、取扱いが簡便な、ＥＬ薄型装飾装置を提供することを目的とする。
【課題を解決するための手段】
【００１５】  発明者は鋭意検討の結果、次の発明に至った。
すなわち、ＥＬパネルを具備するＥＬ電飾部が、１個ないし複数個レ−ルの長手方向の任意位置に係止され、前記ＥＬパネルが点灯する方式の、図１に描く如きＥＬコ−ドレスパネルにおいて次の構成とする。
図２の左図１３に描くように、前記レ−ルの横断面は、英字のＣ字形の四辺からなり、辺の中央部が英字のＣ字形の右側の如く開口する開口辺１５、前記開口辺に対向する奥辺１６、前記開口辺と前記奥辺に直角で互いに対向する二つの側辺１７、１８からなる。
前記二つの側辺の内側には、前記レ−ルの長手方向に、一対のＥＬ駆動用電力ライン７、８が形成されていている。
前記レ−ルに係止されている前記ＥＬ電飾部には、図１あるいは図３に描く嵌合部３、頸部５、および台座部４からなる翼状係止具を備え、前記翼状係止具の前記嵌合部の翼状形の両先端には、図３に描く如くＥＬ駆動用電力ライン７、８に接続しているＥＬ駆動受電端子２５、２６を具備していて、前記レ−ルへの前記嵌合部と、前記ＥＬ駆動用受電端子が兼用になっている。
前記レ−ルに前記ＥＬ電飾部が係止状態においては、前記レ−ル横断面に対し、前記ＥＬ電飾部の前記嵌合部は前記翼状形で、前記レ−ルの前記二つの側辺に夾持され、且つ、前記レ−ルの前記開口辺においては前記嵌合部と前記台座部とで夾持されることで、前記レ−ルに係止され、且つ、前記ＥＬ駆動用電力ラインから前記ＥＬ電飾部が電力を受電して前記ＥＬパネルが点灯可能状態となる。
前記ＥＬ電飾部を前記レ−ル長手方向に平行に回転することによって得られる、前記レ−ルに非係止状態においては、前記レ−ルの長手方向へ前記ＥＬ電飾部を移動することが可能な、あるいは前記レ−ルから前記ＥＬ電飾部を着脱することが可能な状態となることを特徴とする、ＥＬコ−ドレス点灯制御パネルの発明に至ったものである。【００１６】  また、フリ−状態の前記レ−ルにおける、図２の左図１３に示す二側辺１７、１８の内側間の長さよりも、図４の左下段図３１の前記ＥＬ電飾部の翼状係止具３の前記嵌合部の翼状形の両先端間長３５を長くすることによって、前記ＥＬ電飾部が前記レ−ルに係止しているときに、前記レ−ルの横断面方向の弾性により、前記嵌合部の前記翼状形の両先端に具備されているＥＬ駆動受電端子を挟持している前記レ−ル横断面がフリ−状態に戻ろうとする押圧力が掛かることにより、
前記レ−ルへの前記ＥＬ電飾部の係止が確実化するとともに、レ−ルの長手方向のＥＬ駆動用電力ラインとＥＬ駆動受電端子との接触を確実化することを特徴とする、ＥＬコ−ドレスパネルの発明である。【００１７】  さらに、前記ＥＬ電飾部において、前記レ−ルに具備されている前記ＥＬ駆動用電力ラインに接続されている、ＥＬ駆動受電端子が具備され、前記ＥＬ電飾部の電気回路にＥＬインバ−タ部が具備されていて、これによってＥＬ電飾部のＥＬパネルの点灯が行われることを特徴とする、ＥＬコ−ドレスパネルの発明である。
【発明の効果】
【００１８】（１）  カ−テンレ−ルの如き単純なレ−ルであって、レ−ルの片端から低圧電力が供給されていて、このレ−ルに単にＥＬ電飾部を係止するだけで、ＥＬ駆動用電力が供給されるので、ＥＬパネル近傍の目障りで邪魔なコ−ドが不要になり、見た目がスマ−トなＥＬコ−ドレスパネルとなる。
（２）  レ−ルにＥＬ電飾部を係止する嵌合部と、ＥＬ駆動受電端子を兼ねているので、ＥＬ電飾部の着脱が簡単で便利である。
（３）  ＥＬパネルの裏に小型ＥＬインバ−タ部をセットしているので、コ−ドを利用して高周波で高圧電力をＥＬパネルに印加する場合に比較して、ＥＬパネルの背面電極とコ−ドの接触不良などの、コ−ド使用に伴う不具合が解消される。
（４）  レ−ルの長手方向のＥＬ駆動用電力ラインが手に触れ難い場所にあり、さらに導電ラインに印加されている電圧が低圧であるので、極めて安全で、電撃や火災などを誘発しない。
【発明を実施するための最良の形態】
【００１９】  発明の実施の形態を実施例に基づき、図面を参照して説明する。
図１は、本発明のＥＬコ−ドレス点灯制御パネルの斜視部分略図である。
図１において、レ−ル１はレ−ルの一部であり、右側部分は省略しているが、図示している前記レ−ル部分と同様である。
本発明は、小型のマ−キングや標識などに用いる小型ＥＬパネルを対象にしているので、図１のＥＬパネル２で示す発光面のサイズの目安は、大凡１００ｃｍ２程度である。、
また、レ−ル１は、断面サイズにおいては、レ−スカ−テンなどを吊ってスライドさせるカ−テンレ−ルのサイズ程度、長さは大凡１ｍ程度までの目安である。
但し、本発明の説明の便のためにこれらの値を表記するもので、前記ＥＬシ−トの発光面のサイズ、ならびに前記レ−ルのサイズの目安値に本発明が制約されるものではない。【００２０】  図２は、図１のＡ−Ａ断面、つまりレ−ル１の拡大横断面略図である。
図２の左図１３の横断面略図に描くように、レ−ル１の横断面は英字のＣ字形の四辺からなり、辺の中央部が英字のＣ字形の右側の如く開口している開口辺１５、前記開口辺に対向する奥辺１６、前記開口辺と前記奥辺に直角に互いに対向する二つの側辺１７、１８からなる。【００２１】  図１のレ−ル１の前記両側辺の内側には、前記レ−ルの長手方向に一対のＥＬ駆動用電力ライン７、８が設けられていて、描くのを省略しているレ−ル１の右端から電力が供給されている。
なお、ＥＬ駆動用電力ラインは一対あればよいので、例えば、一対のＥＬ駆動用電力ライン７、８は、図１のレ−ル１の左端、ないし図２の左図１３に描くように互いに対向していなくてもよく、例えば、図２の左図１３のレ−ル１の側辺１７の内側に平行して一対設けられていてもよい。
しかしながら混乱を避けるために、本発明の説明においては、前記レ−ルの両側辺内側で互いに対向している一対のＥＬ駆動用電力ライン７と８として、以降説明するものとする。【００２２】  図１のレ−ル１の左端、あるいは図２の左図１３において、レ−ル１が合成樹脂などの絶縁材料の場合は、前記ＥＬ駆動用電力ライン７と８は２条必要である。
しかしながら、レ−ル１が金属などの導電材料の場合は、前記ＥＬ駆動用電力ラインの片側は、図２の右図１４に描くように、絶縁シ−ト２０を介した１条のみで、他の１条は前記レ−ルの躯体そのものを１条としてもよい。
しかしながら、前記ＥＬ駆動用電力ラインにおいて、機能としては実質的に２条必要でり、本発明においては図２の右図１４の場合も、混乱を避けるため導電ラインは２条と表現することにするものである。【００２３】  図１のレ−ル１には、レ−ル１の横断面のＣ字形の内部空間を利用して、ＥＬ電飾部９と一体の翼状係止具でレ−ル１に係止されている。
図１において、レ−ル１への係止ＥＬ電飾部は１個の場合であるが、２個以上の複数個係止していても勿論よい。
図３は、図１のＢ−Ｂ断面の略図で、図１のＥＬ電飾部９の部分断面を描いている。
ＥＬ電飾部９は、ＥＬパネル２、ＥＬパネル２の裏側の嵌合部３と台座部４と頸部５からなる前記翼状係止具、およびＥＬインバ−タ部６で構成されている。【００２４】  前記翼状係止具の先端の嵌合部３の両翼先端には、ＥＬ駆動受電端子２５、２６が具備されている。
図１におけるＥＬ電飾部９の係止状態では、図３に描くように、ＥＬ駆動用電力ライン７と８に、ＥＬ駆動受電端子２５と２６が接続していて、ＥＬ電飾部９に具備するＥＬインバ−タ部６が動作し、ＥＬパネルが点灯可能になる。【００２５】  図４は、図１ならびに図３に描く、ＥＬ電飾部９をレ−ル１に係止するための翼状係止具の嵌合部３、およびその頸部５の部分のみを示す拡大略図である。
左下段図３１は、電飾部９がレ−ル１に係止している状態のときのレ−ル１の横断面にに対する前記翼状係止具の嵌合部３の正面図である。
左上段図３０は嵌合部３の左下段図３１の正面図に対する平面図、右図３２は嵌合部３の左下段図３１の正面図に対する側面図を示していて、図法は三角法による。【００２６】  図４において、嵌合部３の両翼部３３、３４の先端には、ＥＬ駆動受電端子２５、２６が具備されている。
図２の左図１３に描くレ−ル横断面に対して、前記翼状係止具の嵌合部３が、図４の左図３１の正面図状態でレ−ル１に嵌合されていれば、ＥＬ電飾部９がレ−ル１に係止されると共に、ＥＬ駆動用電力ライン７と８にＥＬ駆動受電端子２５と２６が接続される。【００２７】  図５は、前記ＥＬ電飾部の前記レ−ル長手方向への移動時や、前記電飾部の前記レ−ルから着脱時の場合における、前記翼状係止具が非係止状態のときの断面略図である。
前記翼状係止具の嵌合部３は、図４の右図３２の側面図の嵌合部３に示す側面状態で、図２の左図１３におけるレ−ル１の横断面の開口辺１５の開口部に挿入されている状態を示している。
嵌合部３の前記側面は、レ−ル横断面に対して図４の右図３２の側面図状態で、前記側面の幅長３６は、その頸部５の径長よりやや長い程度で、図２の左図１３のレ−ル断面の開口辺１５の開口幅１９より小さい。
したがって、図５に描く如く、前記レ−ルの開口幅より前記嵌合部の幅が短いので、レ−ル１の長手方向へのＥＬパネル２と一体のＥＬ電飾部９の移動、あるいはレ−ル１からＥＬ電飾部９を矢印４０方向へ着脱することが可能になる。【００２８】  図３において、レ−ル１を固定し、嵌合部３と頸部５と台座部４から成る前記翼状係止部と一体であるＥＬパネル２を、前記翼状係止具を中心としてレ−ル１の横断面に対して、つまりレ−ル１の長手方向に平行に９０度回転させると、嵌合部３が図３に描く如き平面状態から、図５に描く如き側面図状態になり、レ−ル１の長手方向へのＥＬ電飾部９の移動、あるいは前記開口辺の開口部から矢印４０方向に容易に着脱させることができる状態となる。
これを図１で説明すれば、図１において長方形のＥＬパネル２がよこ長であるのを、矢印１０方向に９０度回転させ、たて長状態になるようにすることで、前記翼状係止具の嵌合部３が図５に描く側面状態となり、レ−ル１の長手方向にＥＬ電飾部９をスライド可能な形態に、また、レ−ル１からＥＬ電飾部９を着脱可能な形態になる。【００２９】  図４の左下段図３１において、嵌合部の両翼部３３、３４のＥＬ駆動受電端子２５、２６との電気的接触を完全化するため、嵌合部３の内部でバネ作用などの仕掛で、前記電気各端子を挟み込むように圧力を掛けると反発状態で押圧されるようにする。
この方法としては、電気機器の電池ホ−ルダの板状バネ、螺旋状バネなど当業者に知られている方法を任意に適用できる。【００３０】  次に、嵌合部３の形状などの問題で、内部でバネ作用などの仕掛を設けることができない場合の例を次に示す。
フリ−状態、あるいはＥＬ電飾部が係止されていないフリ−部分のレ−ル１について、前記翼状係止具において、前記レ−ル横断面向きについて、嵌合部３の図４の左下段図３１の正面状態における両翼の前記電気端子間の幅長３５を、図２の左図１３の横断面の両側辺１７、１８の内側間の幅より僅かに長くしておく。
かようにすることによって、レ−ル１に前記ＥＬ電飾部が係止している部分の前記レ−ルの横断面の両側辺の内側が、前記レ−ルの横断面方向の弾性によってフリ−状態に戻ろうとするところの、前記嵌合部の翼状部を挟み込むような押圧力が生じ、前記翼状係止具が前記レ−ルに係止しているとき、前記レ−ルへの前記ＥＬ電飾部の係止、および前記電気端子の電気的接触を完全化させることができる。【００３１】  次に、本発明を実施するための部材について説明する。
前記ＥＬパネルの一つのＥＬ素子は、発光面側から透明電極層、ＥＬ発光層、絶縁体層、背面電極層の順の積層構造であり、これに表裏外面を保護する保護層を積層してＥＬパネルとする。
ＥＬ素子シ−トの各層を薄くすることで、かなり薄い発光パネルとすることが可能であり、前記透明電極層と背面電極層の間にＥＬ発光層と絶縁体層を１０層以上積層することができ、これを利用するなどして発光色相、曲面発光、多色分割発光、あるいは点滅などが前記ＥＬインバ−タの設定などとのかねあいで任意に可能である。
かように、当業界に知られているＥＬパネルを適宜に適用できる。【００３２】  文字、絵柄などの表示は、ＥＬパネルそのものの機能である、多色分割発光などの手法によっても可能であるが、印刷や手書きなどで文字、絵柄などを表示した合成樹脂の透明フィルム、シ−ト、あるいはガラスなどを貼付する方法でもよい。
貼付法は、粘着剤による方法や、透明ホ−ルダをＥＬパネルの発光面に接合しておき、文字、絵柄などのシ−トを差し込む如き方法など任意に適用できる。【００３３】  前記レ−ルは、金属製、合成樹脂製など任意に適用できる。
金属製の場合は、カ−テンレ−ルに見られるような、鋼板を加工したものでもよく、アルミニウムなどの非鉄金属も適用できる。
金属製レ−ルの場合は、電気ラインとレ−ル躯体の間に絶縁シ−トが必要であるが、前記レ−ル躯体そのものが導電性であるので、図２の右図１４に描くように、これをＥＬ駆動用電力ライン一対の片方の１条として利用し、絶縁シ−トを要する電気ライン８は、１条のみとする方法がとれる利点がある。【００３４】  合成樹脂の場合は、熱可塑性樹脂の押出し成形法によるレ−ルが用いられ、樹脂種類としては、ＰＰ（ポリプロピレン）樹脂、ＰＶＣ（塩化ビニル）樹脂、耐衝撃性ポリスチレン樹脂、ＡＢＳ（アクリロニトリル・ブタジエン・スチレン）樹脂など、当業者に知られている汎用樹脂が適用できる。
なお、前記レ−ル横断面の弾力性を利用する、前記電気端子の接圧法による場合は、鋼板、アルミニウムなどの金属や合成樹脂は、変位付与の初期の応力−歪特性においては、弾性体の性能を示すので、特に脆い金属や合成樹脂の場合を除いて殆ど適用できる。【００３５】  前記ＥＬ電飾部における前記嵌合部、前記頸部、前記台座部からなる前記翼状係止具は、電気部材であると共に、硬さと粘りが必要であるゆえ、ＰＥＴ（ポリエステル）樹脂、ＡＢＳ樹脂、ポリアセタ−ル樹脂などの耐衝撃性がある樹脂の使用が望ましい。
各電気端子は、銅材、真鍮材、ステンレス鋼材、ニッケルメッキ鋼材など、電気接点として使われている金属材料から任意に適用できる。【００３６】  前記レ−ルに具備されているＥＬ駆動用電力ラインは、アルミニウム箔、銅箔など偏平で広い面積をカバ−できる導電材料が適用できる。
また、ＰＥＴ樹脂シ−トにアルミニウムなどを、蒸着、メッキ、スパッタリングなどして作られた、メタライジング合成樹脂シ−トやフィルムも適用できるが、金属が露出している導電面を表に使用する注意が必要である。
これらをスリットしたテ−プ状の導電材料を、前記レ−ルの側辺の内側に貼付する接着剤や粘着材は、前記翼状係止具の着脱に伴う嵌合部との摺動に耐える接合性の強固な材料の選定をする必要がある。
前記レ−ルが合成樹脂製の場合のＰＰ樹脂などは、適用接着剤が限られているので、アクリル系の特殊樹脂を使用するなどの注意を要する。
粘着剤の場合は、アクリル系、ゴム系などが適用できる。
以上が、本発明を実施するための部材について説明である。【００３７】  図６は、本発明のＥＬコ−ドレスパネルの電気系統の一例のブロック線図である。
図６において、電圧１００Ｖなどで配電されている外部電力を受電部４６から電力トランス４７の１次側４８に供給し、２次側において、例えば電圧１２Ｖとか２４Ｖなど電圧が大凡３０Ｖ程度以下の低圧の電力が前記レ−ルのＥＬ駆動用電力ライン部４５に供給されている。
図６において、電飾部の破線で囲んで示すＥＬ電飾部の電気回路５０は、二本の破線間に描くＥＬ駆動用電力ライン７、８からなる電力ライン部４５から、前記ＥＬ電飾部のＥＬ駆動受電端子で低圧電力を受電し、電気回路５０のインバ−タ部で使用ＥＬパネルに適合する電圧と周波数に変換して、ＥＬパネル２に電力を印加して点灯させる。
このように、電力トランス４７を用いれば、外部電力と直接接続していないので、人体など接地体が前記ＥＬ駆動用電力ラインに触れても電撃を受けることなく、低圧であるゆえ火災などの誘因の懸念はない。
なお、インバ−タとは一般には直流を交流にする装置のことをいうが、ここではＥＬ素子に適正な電圧と周波数の電力供給を行うための変換器の意味で用いている。【００３８】  図６に示した回路の例では、ＥＬ電飾部の電気回路５０において、トランス５１の主コイル５２に電流が流れると、補助コイル５３に同相の信号が発生し、これを増幅器５４に戻すことによって、正帰還となって発振する。
この発振周波数は、２次コイル５５とＥＬシ−ト２の静電容量の直列共振周波数となるので、ＥＬパネル２の静電容量との直列共振周波数が、ＥＬパネル２の発光に適合するように２次コイル５５のインダクタンスを設定してある。
大凡の電圧の目安は大凡１７０〜２２０Ｖ程度、周波数は大凡８００〜１２００Ｈｚ程度である。【００３９】  前記ＥＬインバ−タ部は、ＥＬパネル専用であるので、前記ＥＬパネルに最も適する電圧と周波数で固定しておけばよく、よってコンパクトな容積に纏めることができる。
したがって、前記ＥＬインバ−タ部は、例えば正方形の場合でいえば、一辺が１５ｍｍ程度の極めて小さな部材とすることができるので、前記電飾部に備えても殆ど邪魔にならず、着脱などの障害にもならない。【００４０】  前記レ−ルへの電飾部を係止する個数は１個以上の任意数であって、さらにＥＬ電飾部にＥＬインバ−タ部が装備されているゆえ、ＥＬシ−トのサイズや発光形式の異なるＥＬシ−トを装備したＥＬ電飾部を同一レ−ルに係止して使用することも可能である。
また、ＥＬインバ−タ部に点滅回路を設けて、ＥＬパネルを点滅させてもよい。
前記レ−ルの取付け位置は、図１ではレ−ル１の開口部を横向きに描いているが、カ−テンレ−ルの如く開口部が下向きでもよく、あるいは上向きでもよい。
また、前記レ−ルの長手方向は、水平方向方向でなくて、斜め位置方向や縦（垂直）方向、場合によっては円形や弧形などでも何ら差し支えない。
【実施例】
【００４１】  レ−ルとして、ＰＰ樹脂製のカ−テンレ−ルを用い、横断面は英字のＣ字形で、図２に描く如き形状で、開口辺１５と奥辺１６は１６ｍｍ、開口部の開口幅１９は６ｍｍ、側辺１７と１８は１０ｍｍ、樹脂躯体の厚さは１ｍｍ、長さは６９ｃｍとした。
側辺１７と１８の内側の前記レ−ルの長手方向には、幅６ｍｍのアルミニウム箔を、アクリル系粘着剤で貼付し、その端末をプラグのリ−ドに接続し、前記プラグを前記レ−ルの片端部に取付けた。【００４２】  ＥＬ電飾部について図１で説明すると、ＥＬ電飾部９に描く如き形状で、ＥＬパネル２のサイズは、幅が６０ｍｍ、上下長４０ｍｍで、厚さは約１．５ｍｍで、裏側に補強板として同サイズの厚さ０．４ｍｍのＰＥＴ樹脂シ−トを貼付した上、嵌合部３、頸部５、台座部４からなる翼状係止具とＥＬインバ−タ部６を備えた。
前記翼状係具はＰＶＣ樹脂製とし、図４にて説明すると、前記嵌合部については左下段図３１の正面図における嵌合部の翼の正面幅３５を１５ｍｍ、右図３２の側面図における嵌合部の側面幅を５ｍｍとし、銅製の埋込み式受電端子を設け、被覆リ−ド線をハンダ付けし、ＥＬ電飾部の電気回路に結線した。
図３において、前記翼状係具の頸部５の断面は正方形で一辺３．５ｍｍ、図において横長さは１．５ｍｍとし、台座部４の横長さは１６ｍｍ、上下、奥行き長さとも１４ｍｍとした。
また、ＥＬインバ−タ部６は、図において横長さ１５ｍｍ、上下、奥行き長さとも１６ｍｍとした。【００４３】  前記レ−ルの長手方向の前記ＥＬ電飾部の係止位置を定め、前記レ−ルに対しＥＬパネル２をたて長状態にして前記翼状係止具を前記レ−ル挿入し、９０度回してよこ長状態としたところ、前記嵌合部が前記レ−ルの前記二つの側辺に夾持されると共に、前記レ−ルの前記開口辺を前記嵌合部の翼状部と前記台座とで夾持されることで、前記レ−ルに前記ＥＬ電飾部が完全に係止され、且つ、前記ＥＬ電飾部に通電されていることが確認された。【００４４】  また、前記レ−ルから電飾部を外す場合を図１で説明すると、レ−ル１に係止している前記ＥＬ電飾部と一体であるＥＬパネル２を、前記電飾部の翼状係止具の頸部４を中心として、矢印１０の回転方向に９０度回した状態、つまり図１における前記ＥＬシ−トがよこ長状態であるのに対し、たて長状態になるように廻して、前記レ−ルから離す方向に引けば、前記レ−ルから容易に外れることを確認した。
このように、極めて容易に電飾部の着脱が可能であることが確認された。
なお、前記電飾部の着脱のための大凡９０度の回転方向は、右回転でも左回転でもよいことも確認できた。【００４５】  前記レ−ルの導電ラインに、図６に描くように、外部電力として電圧１００Ｖの通常の交流電気を受電部４６から電力トランス４７の１次側４８に繋ぎ、２次側４９に１２Ｖで出力し、前記レ−ルの端部の前記プラグに印加した。
前記レ−ルに係止されたＥＬ電飾部の電気回路は、図６の電気回路５０とほぼ同様であって、前記ＥＬインバ−タ部で前記ＥＬパネルに１９０Ｖ、１０００Ｈｚの交流電力を印加したところ、前記ＥＬシ−トが発光し、その輝度は４００ｃｄ／ｍ２であった。
【産業上の利用可能性】
【００４６】  外部電源はレ−ル端部から低圧電力が供給され、カ−テンレ−ルの如き単純なレ−ルにＥＬ電飾部を係止するだけで、１個以上複数個のＥＬパネルを任意に点灯することができるので、人の注意を喚起するマ−ク標識、注意事項の標示、製品や商品の位置など、近傍の目障りで邪魔なコ−ドなしでこれらの標示ができ、商店、見本市、工場などでの利用度が多い。
また、レ−ルのＥＬ駆動用電力ラインは低圧電力印加式であり、ＥＬパネルの裏側にセットされた小型インバ−タ部で高周波、高圧の電力にしているので、コ−ドによって高周波で高圧の電力をＥＬパネルに印加する場合に比較して、ＥＬパネルの背面電極とコ−ドの接触不良によるなどの、コ−ド使用に伴う不具合が解消され、安全性も高い。【００４７】  さらに、レ−ルの長手方向のＥＬ駆動用電力ラインが手に触れ難い場所にあり、電圧も低圧で、電力トランス経由であるので、接地体である人体に触れても電撃などを受けず、火災などの誘発の恐れもないので、極めて安全である。
また、ＥＬインバ−タ部がＥＬ電飾部側にセットされているので、複数のＥＬ電飾部を同一レ−ルに係止する場合、動作電圧や周波数が異なる仕様のＥＬ電飾部を任意に使用できるので、アッピ−ル効果をさらに高めることができる。
【図面の簡単な説明】
【００４８】
【図１】  ＥＬコ−ドレスパネルの斜視略図
【図２】  レ−ルの横断面略図
【図３】  レ−ルに係止されたＥＬ電飾部の横断面略図
【図４】  ＥＬ電飾部を係止する翼状係止具の嵌合部略図
【図５】  ＥＬ電飾部の着脱時におけるレ−ルに対する嵌合部の横断面略図
【図６】  ＥＬ電飾部の電気系統ブロック線図の例
【符号の説明】
【００４９】    １  レ−ル
２  ＥＬパネル
３  翼状係止具の嵌合部
４  翼状係止具の台座部
５  翼状係止具の頸部
６  ＥＬインバ−タ部
７  ＥＬ駆動用電力ライン
８  ＥＬ駆動用電力ライン
９  ＥＬ電飾部
１０  矢印；回転方向
１３  左図；レ−ル横断面例
１４  右図；レ−ル横断面例
１５  開口辺
１６  レ−ル横断面の奥辺
１７、１８  レ−ル横断面の側辺
１９  開口幅
２０  絶縁シ−ト
２５、２６  ＥＬ駆動受電端子
３０  左上段図；平面略図
３１  左下段図；正面略図
３２  右図；側面略図
３３  嵌合部翼部
３４  嵌合部翼部
３５  嵌合部翼の正面幅
３６  嵌合部の側面幅
４０  矢印；着脱方向
４５  ＥＬ駆動用電力ライン部
４６  受電部
４７  電力トランス
４８  １次側
４９  ２次側
５０  ＥＬ電飾部の電気回路
５１  トランス部
５２  主コイル
５３  補助コイル
５４  増幅器
５５  ２次コイル
【図１】
2006278307.tif 000003
【図２】
2006278307.tif 000004
【図３】
2006278307.tif 000005
【図４】
2006278307.tif 000006
【図５】
2006278307.tif 000007
【図６】
2006278307.tif 000008